【手続補正書】
【提出日】平成25年9月6日(2013.9.6)
【手続補正１】
【補正対象書類名】特許請求の範囲
【補正対象項目名】全文
【補正方法】変更
【補正の内容】
【特許請求の範囲】
【請求項１】
無線通信システムにおける複数のリソースを用いて制御ビットと情報ビットを送信する方法であって、
前記制御ビットに対する第１のリソース領域において、応答信号(acknowledgement signal)とデータ制御チャネル信号(data control channel signal)と前記制御ビットに対する前記第１のリソース領域を示す制御チャネルフォーマット指示子を送信するステップと、
送信される前記情報ビットを複数のコードブロックに分割するステップと、
各コードブロックで前記情報ビットを符号化するステップと、
データ送信のために使用可能なシンボル数（Ｎ1）が前記複数のコードブロックの数（Ｎseq）で同一に割り切れない場合に、開始地点での少なくとも１つのコードブロックに割り当てられるリソース要素の個数が最後地点での少なくとも１つのコードフロックに割り当てられるリソース要素の個数より少ないように前記複数のコードブロックに複数のリソース要素を割り当てるステップと、
前記割り当てられたリソース要素に基づいて１つ又は複数のアンテナを通して前記情報ビットを送信するステップと、を有し、
前記制御ビットに対する第１のリソース領域と前記情報ビットに対する第２のリソース領域を含むサブフレームを通して前記制御ビットと前記情報ビットがそれぞれ送信され、
前記第１のリソース領域と前記第２のリソース領域は、それぞれ少なくとも１つの多重化シンボルを有し、各多重化シンボルは時間単位に対応し、各多重化シンボルは周波数単位で複数のリソースを有し、
前記制御チャネルフォーマット指示子は、予め定義された多重化シンボル個数内で前記制御ビットが伝送される多重化シンボル数を示し、
前記データ制御チャネル信号は、少なくとも一つの制御チャネル構成要素（Control channel element）で構成される制御チャネル候補の集合である制御チャネル候補集合内の複数の制御チャネル候補のうち一つを通して送信される
ことを特徴とする送信方法。
【請求項２】
コードブロック（ｊ）に割り当てられたリソース要素の個数（Ｍj,1）は、下記の数式のように定義されることを特徴とする請求項１に記載の送信方法。
【数１】
2013176069.tif 000001
【請求項３】
前記情報ビットの送信前に符号化過程、伝送率整合(rate matching）過程、及びシンボルマッピング過程を通し、前記シンボルマッピングされた情報ビットは、元の順序とは異なる順序で配列されリソースにマッピングされるステップをさらに有することを特徴とする請求項１または２に記載の送信方法。
【請求項４】
前記情報ビットは、前記周波数領域で最も小さいインデックスを有する周波数単位リソースから開始して昇順に前記第２のリソース領域にマッピングされ、以後に前記情報ビットは、前記時間領域で最も小さいインデックスを有する多重化シンボルから開始して昇順に前記第２のリソース領域にマッピングされることを特徴とする請求項１乃至３のうち何れか一項に記載の送信方法。
【請求項５】
前記情報ビットの送信前に前記情報ビットの送信電力を決定し、前記決定された送信電力を適用するステップをさらに有することを特徴とする請求項１乃至４のうち何れか一項に記載の送信方法。
【請求項６】
前記情報ビットの送信前に前記情報ビットをレイヤーマッピングし、プリコーディングコードブックを用いてプリコーディングすることによって、複数のアンテナに前記情報ビットを整合するステップをさらに有することを特徴とする請求項１乃至５のうち何れか一項に記載の送信方法。
【請求項７】
無線通信システムにおける複数のリソースを用いて制御ビットと情報ビットを送信する送信装置であって、
各コードブロックで前記情報ビットを符号化する符号化器と、
割り当てられたリソース要素に基づいて、一つまたは複数のアンテナを通して前記情報ビットを送信する送信器と、
前記制御ビットに対する第１のリソース領域において、応答信号(acknowledgement signal)とデータ制御チャネル信号(data control channel signal)と前記制御ビットに対する前記第１のリソース領域を示す制御チャネルフォーマット指示子を送信し、送信される前記情報ビットを複数のコードブロックに分割し、データ送信のために使用可能なシンボル数（Ｎ1）が前記複数のコードブロックの数（Ｎseq）で同一に割り切れない場合に、開始地点での少なくとも１つのコードブロックに割り当てられるリソース要素の個数が最後地点での少なくとも１つのコードフロックに割り当てられるリソース要素の個数より少ないように前記複数のコードブロックに複数のリソース要素を割り当てる動作を制御する制御器と、を含み、
前記制御ビットに対する第１のリソース領域と前記情報ビットに対する第２のリソース領域を含むサブフレームを通して前記制御ビットと前記情報ビットがそれぞれ送信され、
前記第１のリソース領域と前記第２のリソース領域は、それぞれ少なくとも１つの多重化シンボルを有し、各多重化シンボルは時間単位に対応し、各多重化シンボルは周波数単位で複数のリソースを有し、
前記制御チャネルフォーマット指示子は、予め定義された多重化シンボル個数内で前記制御ビットが伝送される多重化シンボル数を示し、
前記データ制御チャネル信号は、少なくとも一つの制御チャネル構成要素（Control channel element）で構成される制御チャネル候補の集合である制御チャネル候補集合内の複数の制御チャネル候補のうち一つを通して送信される
ことを特徴とする送信装置。
【請求項８】
コードブロック（ｊ）に割り当てられたリソース要素の個数（Ｍj,1）は、下記の数式のように定義されることを特徴とする請求項７に記載の送信装置。
【数２】
2013176069.tif 000002
【請求項９】
前記制御器は、前記情報ビットの送信前に符号化過程、伝送率整合(rate matching）過程、及びシンボルマッピング過程を通し、前記シンボルマッピングされた情報ビットは、元の順序とは異なる順序で配列されリソースにマッピングされる動作をさらに制御することを特徴とする請求項７または８に記載の送信装置。
【請求項１０】
前記情報ビットは、前記周波数領域で最も小さいインデックスを有する周波数単位リソースから開始して昇順に前記第２のリソース領域にマッピングされ、以後に前記情報ビットは、前記時間領域で最も小さいインデックスを有する多重化シンボルから開始して昇順に前記第２のリソース領域にマッピングされることを特徴とする請求項７乃至９のうち何れか一項に記載の送信装置。
【請求項１１】
前記制御器は、前記情報ビットの送信前に前記情報ビットの送信電力を決定し、前記決定された送信電力を適用する動作をさらに制御することを特徴とする請求項７乃至１０のうち何れか一項に記載の送信装置。
【請求項１２】
前記情報ビットの送信前に前記情報ビットをレイヤーマッピングし、プリコーディングコードブックを用いてプリコーディングすることによって、複数のアンテナに前記情報ビットを整合するステップをさらに有することを特徴とする請求項７乃至１１のうち何れか一項に記載の送信装置。
【請求項１３】
無線通信システムにおける複数のリソースを用いて送信された制御ビットと情報ビットを受信する方法であって、
一つまたは複数のアンテナを通して前記制御ビットと前記情報ビットを各々受信するステップと、
複数のコードブロックで前記情報ビットから復号された情報ビットを獲得するステップと、を有し、
前記受信するステップにおいて、前記制御ビットに対する第１のリソース領域と前記情報ビットに対する第２のリソース領域を含むサブフレームを通して前記制御ビットと前記情報ビットが受信され、
前記第１のリソース領域と前記第２のリソース領域は、各々少なくとも一つの多重化シンボルを有し、各多重化シンボルは時間単位に対応し、各多重化シンボルは周波数単位で複数のリソースを有し、
前記制御ビットに対する第１のリソース領域において、応答信号(acknowledgement signal)とデータ制御チャネル信号(data control channel signal)と前記制御ビットに対する前記第１のリソース領域を示す制御チャネルフォーマット指示子が受信され、
前記データ制御チャネル信号は、少なくとも一つの制御チャネル構成要素（Control channel element）で構成される制御チャネル候補の集合である制御チャネル候補集合内の複数の制御チャネル候補のうち一つを通して受信され、
前記制御チャネルフォーマット指示子は、予め定義された多重化シンボル個数内で前記制御ビットが送信される多重化シンボル数を示し、
前記情報ビットは、データ送信のために使用可能なシンボル数（Ｎ1）が前記複数のコードブロックの数（Ｎseq）で同一に割り切れない場合に、開始地点での少なくとも１つのコードブロックに割り当てられるリソース要素の個数が最後地点での少なくとも１つのコードフロックに割り当てられるリソース要素の個数より少ないように前記複数のコードブロックに割り当てられた複数のリソース要素を通して受信されることを特徴とする受信方法。
【請求項１４】
コードブロック（ｊ）に割り当てられたリソース要素の個数（Ｍj,1）は、下記の数式のように定義されることを特徴とする請求項１３に記載の受信方法。
【数３】
2013176069.tif 000003
【請求項１５】
前記情報ビットは、前記周波数領域で最も小さいインデックスを有する周波数単位リソースから開始して昇順に前記第２のリソース領域にマッピングされ、以後に前記情報ビットは、前記時間領域で最も小さいインデックスを有する多重化シンボルから開始して昇順に前記第２のリソース領域にマッピングされることを特徴とする請求項１３または１４に記載の受信方法。
【請求項１６】
前記情報ビットは、レイヤーマッピング及びプリコーディングコードブックを用いたプリコーディングを通して複数のアンテナにマッピングされたことであることを特徴とする請求項１３乃至１５のうち何れか一項に記載の受信方法。
【請求項１７】
無線通信システムにおける複数のリソースを用いて送信された制御ビットと情報ビットを受信する受信装置であって、
一つまたは複数のアンテナを通して前記制御ビットと前記情報ビットを各々受信する受信器と、
複数のコードブロックで前記情報ビットを復号化する復号器と、
前記制御ビットに対する第１のリソース領域と前記情報ビットに対する第２のリソース領域を含むサブフレームを通して、前記制御ビットと前記情報ビットを受信する動作を制御する制御器と、を有し、
前記第１のリソース領域と前記第２のリソース領域は、各々少なくとも一つの多重化シンボルを有し、各多重化シンボルは時間単位に対応し、各多重化シンボルは周波数単位で複数のリソースを有し、
前記制御ビットに対する第１のリソース領域において、応答信号(acknowledgement signal)とデータ制御チャネル信号(data control channel signal)と前記制御ビットに対する前記第１のリソース領域を示す制御チャネルフォーマット指示子が受信され、
前記データ制御チャネル信号は、少なくとも一つの制御チャネル構成要素（Control channel element）で構成される制御チャネル候補の集合である制御チャネル候補集合内の複数の制御チャネル候補のうち一つを通して受信され、
前記制御チャネルフォーマット指示子は、予め定義された多重化シンボル個数内で前記制御ビットが送信される多重化シンボル数を示し、
前記情報ビットは、データ送信のために使用可能なシンボル数（Ｎ1）が前記複数のコードブロックの数（Ｎseq）で同一に割り切れない場合に、開始地点での少なくとも１つのコードブロックに割り当てられるリソース要素の個数が最後地点での少なくとも１つのコードフロックに割り当てられるリソース要素の個数より少ないように前記複数のコードブロックに割り当てられた複数のリソース要素を通して受信されることを特徴とする受信装置。
【請求項１８】
コードブロック（ｊ）に割り当てられたリソース要素の個数（Ｍj,1）は、下記の数式のように定義されることを特徴とする請求項１７に記載の受信装置。
【数４】
2013176069.tif 000004
【請求項１９】
前記情報ビットは、前記周波数領域で最も小さいインデックスを有する周波数単位リソースから開始して昇順に前記第２のリソース領域にマッピングされ、以後に前記情報ビットは、前記時間領域で最も小さいインデックスを有する多重化シンボルから開始して昇順に前記第２のリソース領域にマッピングされることを特徴とする請求項１７又は１８に記載の受信装置。
【請求項２０】
前記情報ビットは、レイヤーマッピング及びプリコーディングコードブックを用いたプリコーディングを通して複数のアンテナにマッピングされたことであることを特徴とする請求項１７乃至１９のうち何れか一項に記載の受信装置。